(57)【要約】  開示される移動局は、基地局から通知されたカザック系列番号に従ってカザック符号を生成するカザック符号生成部と、基地局から通知された巡回シフト番号に基づいて、カザック符号の各シンボルを巡回式にシフトする巡回シフト部と、巡回シフト部とともに又は代わりに作動し、基地局から通知されたブロック拡散番号に従って、カザック符号に対してブロック拡散処理を行うブロック拡散部と、を備える。
2009022710.tif 000002
【特許請求の範囲】
【請求項１】
移動局からシングルキャリア方式で送信される情報に受信状態情報と送達確認情報とが含まれているか否かを判定する通信制御方法であって、
移動局において、受信状態情報を送信する場合に、第１の上り制御チャネルを生成し、受信状態情報および送達確認情報を送信する場合に、第２の上り制御チャネルを生成するステップと、
前記移動局から前記第１の上り制御チャネルおよび前記第２の上り制御チャネルの一方を送信するステップと、
基地局において、前記第１および前記第２の上り制御チャネルの一方を受信し、受信した当該一方上り制御チャネルに対して、第１の相関検査を行なって第１の相関値を得、第２の相関検査を行なって第２の相関値を得るステップと、
前記基地局において、前記第１の相関値と前記第２の相関値とを比較して、前記第１の相関値が大きい場合に前記移動局が前記受信状態情報を送信したと判定し、前記第２の相関値が大きい場合に前記移動局が前記受信状態情報および前記送達確認情報を送信したと判定するステップと、
を有する、通信制御方法。
【請求項２】
前記第１の上り制御チャネルが第１のシンボルを含み、
前記第２の上り制御チャネルが第２のシンボルを含む、請求項１に記載の通信制御方法。
【請求項３】
前記第１のシンボルと前記第２のシンボルとが直交性を有する、請求項２に記載の通信制御方法。
【請求項４】
前記第１のシンボルが、２つの参照信号ブロックの両方のシンボルに＋１を乗算することにより得られ、
前記第２のシンボルが、２つの参照信号ブロックの一方のシンボルに＋１を乗算し、他方のシンボルに−１を乗算することにより得られ、
前記第１回目の相関検出が該第１のシンボルを利用し、
前記第２回目の相関検出が該第２のシンボルを利用する、請求項２に記載の通信制御方法。
【請求項５】
前記第１のシンボルが、第１のシフト番号で表される巡回式シフトにより得られ、
前記第２のシンボルが、第２のシフト番号で表される巡回式シフトにより得られ、
前記第１回目の相関検出が該第１のシンボルを利用し、
前記第２回目の相関検出が該第２のシンボルを利用する、請求項２に記載の通信制御方法。
【請求項６】
前記第１の上り制御チャネルにおいて、受信状態情報を送信することを示す第１の情報が第１の周波数ブロックに関連付けられ、
前記第２の上り制御チャネルにおいて、受信状態情報を送信することを示す第２の情報が第２の周波数ブロックに関連付けられ、
前記第１の相関検出が前記第１の周波数ブロックを利用し、
前記第２の相関検出が前記第２の周波数ブロックを利用する、請求項１に記載の通信制御方法。
【請求項７】
受信状態情報を送信する場合に第１の上り制御チャネルを生成し、受信状態情報および送達確認情報を送信する場合に第２の上り制御チャネルを生成する上り制御チャネル生成部を備える移動局。
【請求項８】
前記第１の上り制御チャネルが第１のシンボルを含み、
前記第２の上り制御チャネルが第２のシンボルを含む、請求項７に記載の移動局。
【請求項９】
前記第１のシンボルと前記第２のシンボルとが直交性を有する、請求項８に記載の移動局。
【請求項１０】
前記第１のシンボルが、２つの参照信号ブロックの両方のシンボルに＋１を乗算することにより得られ、
前記第２のシンボルが、２つの参照信号ブロックの一方のシンボルに＋１を乗算し、他方のシンボルに−１を乗算することにより得られ、
前記第１回目の相関検出が該第１のシンボルを利用し、
前記第２回目の相関検出が該第２のシンボルを利用する、請求項８に記載の移動局。
【請求項１１】
前記第１のシンボルが、第１のシフト番号で表される巡回式シフトにより得られ、
前記第２のシンボルが、第２のシフト番号で表される巡回式シフトにより得られ、
前記第１回目の相関検出が該第１のシンボルを利用し、
前記第２回目の相関検出が該第２のシンボルを利用する、請求項８に記載の移動局。
【請求項１２】
前記第１の上り制御チャネルにおいて、受信状態情報を送信することを示す第１の情報が第１の周波数ブロックに関連付けられ、
前記第２の上り制御チャネルにおいて、受信状態情報を送信することを示す第２の情報が第２の周波数ブロックに関連付けられ、
前記第１の相関検出が前記第１の周波数ブロックを利用し、
前記第２の相関検出が前記第２の周波数ブロックを利用する、請求項７に記載の移動局。
【請求項１３】
請求項７に記載の移動局とともに使用される基地局であって、
前記移動局から前記第１および前記第２の上り制御チャネルの一方を受信し、受信した当該一方の上り制御チャネルに対して、第１の相関検査を行なって第１の相関値を得、第２の相関検査を行なって第２の相関値を得、前記第１の相関値と前記第２の相関値とを比較して、前記第１の相関値が大きい場合に前記移動局が前記受信状態情報を送信したと判定し、前記第２の相関値が大きい場合に前記移動局が前記受信状態情報および前記送達確認情報を送信したと判定する判定部を備える基地局。
【請求項１４】
前記第１の上り制御チャネルが第１のシンボルを含み、
前記第２の上り制御チャネルが第２のシンボルを含む、請求項１３に記載の基地局。
【請求項１５】
前記第１のシンボルと前記第２のシンボルとが直交性を有する、請求項１４に記載の基地局。
【請求項１６】
前記第１のシンボルが、２つの参照信号ブロックの両方のシンボルに＋１を乗算することにより得られ、
前記第２のシンボルが、２つの参照信号ブロックの一方のシンボルに＋１を乗算し、他方のシンボルに−１を乗算することにより得られ、
前記第１回目の相関検出が該第１のシンボルを利用し、
前記第２回目の相関検出が該第２のシンボルを利用する、請求項１４に記載の基地局。
【請求項１７】
前記第１のシンボルが、第１のシフト番号で表される巡回式シフトにより得られ、
前記第２のシンボルが、第２のシフト番号で表される巡回式シフトにより得られ、
前記第１回目の相関検出が該第１のシンボルを利用し、
前記第２回目の相関検出が該第２のシンボルを利用する、請求項１４に記載の基地局。
【請求項１８】
前記第１の上り制御チャネルにおいて、受信状態情報を送信することを示す第１の情報が第１の周波数ブロックに関連付けられ、
前記第２の上り制御チャネルにおいて、受信状態情報を送信することを示す第２の情報が第２の周波数ブロックに関連付けられ、
前記第１の相関検出が前記第１の周波数ブロックを利用し、
前記第２の相関検出が前記第２の周波数ブロックを利用する、請求項１３に記載の基地局。
【発明の詳細な説明】
【技術分野】
【０００１】
本発明は、通信制御方法に関し、特に、移動局からのフィードバック情報に受信状態情報と送達確認情報とが含まれているか否かを判定する通信制御方法、これを利用可能な基地局および移動局に関する。
【背景技術】
【０００２】
Ｅ−ＵＴＲＡ（Evolved-UMTS（Universal Mobile Telecommunications System）Terrestrial Radio Access）においては、上りリンクの無線アクセス方式として、シングルキャリア（ＳＣ）−ＦＤＭＡ（Frequency Division Multiplexing Access）が採用される。【０００３】
この方式においては、図１に示すように、セル内のユーザＡ，Ｂ，Ｃ，Ｄ，Ｅは、異なる時間・周波数リソース（最小の単位をリソースブロックと呼ぶ）を用いて送信することにより、セル内のユーザ間の直交性が実現され、連続する周波数を割り当てることにより、低ＰＡＰＲ（Peak-to-Average Power Ratio）のシングルキャリア伝送を実現することができる。この結果、移動局の消費電力を低減でき、また、マルチキャリア伝送を用いた場合に比較してカバレッジエリアを増大できるという利点が発揮される。また、どの時間、又はどの周波数リソースを割り当てるかが、基地局のスケジューラにより、各ユーザの伝搬状況、送るべきデータのＱｏＳ（データレート、所要の誤り率、遅延など）に基づいて決定されるため、伝搬状況の良好な時間／周波数リソースを各ユーザに割り当てられ、その結果、スループットが増大されるという利点が発揮される。【０００４】
この方式において、上りリンクの制御チャネルは、下りリンクデータチャネルに対する周波数スケジューリング、適応変復調・チャネル符号化を実現するためのＣＱＩ（Channel Quality Indicator）の送信、下りリンクデータの再送のための送達確認情報の送信などのために使用される。ここで、送達確認情報（以下、ＡＣＫ／ＮＡＣＫ情報という場合がある）は、たとえば、巡回冗長検査法（Cyclic Redundancy Check：ＣＲＣ）などの誤り検出により得られ、誤りが検出されない場合の肯定的応答（ＡＣＫ）と、誤りが検出された場合の否定的応答（ＮＡＣＫ）がある。【０００５】
上述のとおり、上りリンクではシングルキャリアベースの無線アクセス方式が採用されているので、ユーザがＣＱＩとＡＣＫ／ＮＡＣＫ情報とを同一サブフレームで送信する場合は、同一のリソースを用いて、ＣＱＩとＡＣＫ／ＮＡＣＫ情報とを多重して送信する必要がある。また、これに対応して、基地局においても、ＣＱＩのみが送信された場合と、ＣＱＩとＡＣＫ／ＮＡＣＫ情報とが多重送信された場合とで、受信処理の方法を変更する必要がある。【０００６】
ところで、ＣＱＩとＡＣＫ／ＮＡＣＫ情報とがフィードバックされるべきであるにも拘わらず移動局が下りの制御チャネルの受信誤りに起因して、ＣＱＩのみを送信した場合、基地局は、ＡＣＫ／ＮＡＣＫ情報を取得できないだけでなく、ＣＱＩとＡＣＫ／ＮＡＣＫ情報とが多重された情報を受信したと判定して受信処理をするため、適切な処理を行えない状況にもなる。特に、通信システム全体の伝送遅延と、これに伴う下りリンクのスループット低下とを防止する観点から、ＡＣＫ又はＮＡＣＫを早急に把握することは重要である。そこで、基地局において、移動局がどのような情報を送ったのかを検出するため、ＡＣＫ／ＮＡＣＫ情報のＤＴＸ（不連続送信）検出が行われている。【０００７】
ＡＣＫ／ＮＡＣＫ情報のＤＴＸ検出により、基地局において、ＣＱＩとＡＣＫ／ＮＡＣＫ情報とを正しく受信・分離処理することが可能となる、下りリンクデータの再送に関して適切なRV parameterの選択が可能となる、下りリンク制御チャネルの送信電力制御が可能となる、といった利点がもたらされる。
【発明の開示】
【発明が解決しようとする課題】
【０００８】
従来、上述のＡＣＫ／ＮＡＣＫ情報のＤＴＸ判定は、ＤＴＸを指し示すビットを送信することで行われていた。この場合、常にＤＴＸを示すビットを送信しなければならず、送信効率の点から問題があった。また、受信電力に基づくＤＴＸ判定も行われ得る。すなわち、移動局は、ＣＱＩとＡＣＫ／ＮＡＣＫ情報との両方を送信する場合は、ＣＱＩのみを送信する場合に比べて、高い送信電力で上りリンクの制御チャネル情報を送信しているため、基地局においては、受信電力と所定のしきい値とを比較することにより、ＤＴＸの判定を行なうことができる。しかし、このような方法では、受信電力と所定のしきい値との間の差をそれ程大きくすることができないため、ＡＣＫ／ＮＡＣＫ情報のＤＴＸ判定を高精度に行うことは難しいという問題がある。【０００９】
本発明は、Evolved UTRAの上りリンクにおける、送達確認情報の有無を精度良く判定することができる方法、この方法の適用可能な移動局および基地局を提供することを目的とする。
【課題を解決するための手段】
【００１０】
上記の目的を達成するため、本発明の一の態様は、移動局からシングルキャリア方式で送信される情報中に受信状態情報と送達確認情報とが含まれているか否かを判定する通信制御方法を提供する。この通信制御方法は、移動局において、受信状態情報を送信する場合に、第１の上り制御チャネルを生成し、受信状態情報および送達確認情報を送信する場合に、第２の上り制御チャネルを生成するステップと、移動局から第１の上り制御チャネルおよび第２の上り制御チャネルの一方を送信するステップと、基地局において、第１および第２の上り制御チャネルの一方を受信し、受信した当該一方の上り制御チャネルに対して、第１の相関検査を行なって第１の相関値を得、第２の相関検査を行なって第２の相関値を得るステップと、基地局において、第１の相関値と第２の相関値とを比較して、第１の相関値が大きい場合に移動局が受信状態情報を送信したと判定し、第２の相関値が大きい場合に移動局が受信状態情報および送達確認情報を送信したと判定するステップと、を有する。【００１１】
本発明の他の態様は、受信状態情報を送信する場合に第１の上り制御チャネルを生成し、受信状態情報および送達確認情報を送信する場合に第２の上り制御チャネルを生成する上り制御チャネル生成部を備える移動局を提供する。【００１２】
本発明の他の態様は、上記の移動局とともに使用される基地局であって、移動局から第１および第２の上り制御チャネルの一方を受信し、受信した当該一方の上り制御チャネルに対して、第１の相関検査を行なって第１の相関値を得、第２の相関検査を行なって第２の相関値を得、第１の相関値と第２の相関値とを比較して、第１の相関値が大きい場合に移動局が受信状態情報を送信したと判定し、第２の相関値が大きい場合に移動局が受信状態情報および送達確認情報を送信したと判定する判定部を備える基地局を提供する。
【発明の効果】
【００１３】
本発明によれば、Ｅｖｏｌｖｅｄ ＵＴＲＡの上りリンクにおける、送達確認情報の有無を精度良く判定することができる方法、この方法を適用可能な移動局および基地局が提供される。
【図面の簡単な説明】
【００１４】
【図１】シングルキャリア伝送方式における無線リソースの割当てを説明する図
【図２】本発明の実施形態によるユーザ機器の構成を示すブロック図
【図３】本発明の実施形態による基地局の構成を示すブロック図
【図４】本発明の実施形態によるＡＣＫ／ＮＡＣＫ情報の判定に利用されるスロットの構成を説明する図
【図５】本発明の実施形態によるＡＣＫ／ＮＡＣＫ情報の判定に利用されるスロットの構成を説明する図
【図６】本発明の実施形態によるＡＣＫ／ＮＡＣＫ情報の判定に利用されるスロットの構成を説明する図
【符号の説明】
【００１５】
２０  移動局
２２２  カザック符号生成部
２２４  巡回シフト部
２２６  ブロック拡散部
３０  基地局
３１０  ＡＣＫ／ＮＡＣＫ情報のＤＴＸ判定部
【発明を実施するための最良の形態】
【００１６】
以下、図面を参照しながら、本発明の実施形態を説明する。【００１７】
<移動局>
図２は、本発明の一の実施形態による移動局のブロック図である。図示のとおり、移動局２０は、受信部および送信部を有する。送信部は、ＯＦＤＭ（Orthogonal Frequency Division Multiplexing）信号復調部２００、ＣＱＩ推定部２０２、ＡＣＫ／ＮＡＣＫ判定部２０４、報知チャネル／個別制御チャネル復調・復号部２１８を備える。受信部は、符号化部２０６、ブロック毎の変調部２０８、離散フーリエ変換（ＤＦＴ）部２１０、サブキャリアマッピング部２１２、逆高速フーリエ変換（ＩＦＦＴ）部２１４、サイクリックプレフィックス（ＣＰ）付与部２１６、直交ソース割り当て制御部２２０、カザック符号生成部２２２、巡回シフト部２２４、ブロック拡散部２２６、および多重部３３６を備える。【００１８】
ＯＦＤＭ信号復調部２００は、基地局から送信された信号（図２中の受信信号）を入力し、入力した信号をパイロットチャネル、報知チャネル、制御チャネルのような信号成分へ分離し、復調する。また、ＯＦＤＭ信号復調部２００は、復調された信号をＣＱＩ推定部２０２、ＡＣＫ／ＮＡＣＫ判定部２０４、および復調・復号部２１８に対して出力する。【００１９】
ＣＱＩ推定部２０２は、ＯＦＤＭ信号復調部２００から入力したパイロットチャネル等に基づく信号を用いて、下りチャネル状態を測定し、その結果をチャネル状態情報（Channel Quality Indicator：ＣＱＩ）として出力する。ＣＱＩは、基地局から送信されたパイロットチャネルの受信品質、たとえば、信号電力対干渉電力比（Signal to Interference Ratio：ＳＩＲ）や信号帯干渉雑音比（Signal to Interference Noise Ratio：ＳＩＮＲ）等を測定して得られる測定値を所定の数値に変換することで導出される。【００２０】
ＡＣＫ／ＮＡＣＫ判定部２０４は、ＯＦＤＭ信号復調部２００から入力した信号に基づき、受信した下りデータチャネルを構成するパケット各々に誤りがあるか否かを判定し、判定結果を送達確認情報として出力する。送達確認情報としては、誤りがなかったことを示す肯定応答信号（ＡＣＫ）と、誤りがあったことを示す否定応答信号（ＮＡＣＫ）とがある。【００２１】
ＣＱＩと送達確認情報は、ＡＣＫ／ＮＡＣＫ判定部２０４から符号化部２０６へ入力される。符号化部２０６は、ＣＱＩと送達確認情報の両方をフィードバックする場合と、ＣＱＩのみをフィードバックする場合とに応じて適切にチャネル符号化を行い、符号化された信号をブロック毎の変調部２０８へ出力する。【００２２】
変調部２０８は、符号化部２０６から入力した信号に対して所定の変調処理を行なって、基地局へフィードバックすべき情報（ＣＱＩのみ、またはＣＱＩと送達確認情報の両方）の系列をブロック毎に作成する。ここで、ブロックは、後述するように、スロットを構成する情報単位であり、７つのブロックにより一つのスロットが構成される。また、７つのブロックのうち、５つのブロックがフィードバック情報に関連付けられている。【００２３】
ＤＦＴ部２１０は、変調部２０８から入力した信号に対して離散フーリエ変換を行い、時間領域の信号を周波数領域の信号に変換し、変換により得た信号をサブキャリアマッピング部２１２へ出力する。【００２４】
サブキャリアマッピング部２１２は、周波数領域でのマッピングを行ない、この結果をＩＦＦＴ部２１４へ出力する。【００２５】
ＩＦＦＴ部２１４は、サブキャリアマッピング部２１２から得た結果に対して逆フーリエ変換を行なって、周波数領域の信号を時間領域の信号へと再変換する。ＩＦＦＴ部２１４は、再変換により得た時間領域の信号をＣＰ付加部２１６へ出力する。【００２６】
ＣＰ付加部２１６は、ＩＦＦＴ部２１４より入力した信号にサイクリックプレフィックス（Ｃｙｃｌｉｃ  Ｐｒｅｆｉｘ：ＣＰ）を付加する。ＣＰは、マルチパス伝搬遅延や基地局での複数ユーザ間の受信タイミングの差に対する耐性を確保するためのガードインターバルとして機能する。また、ＣＰ付加部２１６は、ＣＰが付加された信号を多重部２３６へ出力する。【００２７】
報知チャネル／個別制御チャネル復調・復号部２１８は、ＯＦＤＭ信号復調部２００から入力した信号から、移動局で使用されるカザック符号系列（カザック系列番号）、カザック符号系列の巡回シフト量、ブロック拡散符号、及びリソース番号に関する情報を含む符号情報を特定する。報知チャネル／個別制御チャネル復調・復号部２１８は、符号情報を直交リソース割り当て制御部２２０へ出力する。【００２８】
直交リソース割り当て制御部２２０は、報知チャネル／個別制御チャネル復調・復号部２１８から取得した符号情報中のカザック系列番号をカザック符号生成部２２２へ出力し、巡回シフト番号を巡回シフト部２２４へ出力する。また、直交リソース割り当て制御部２２０は、報知チャネル／個別制御チャネル復調・復号部２１８から取得した符号情報中のブロック拡散符号をブロック拡散部２２６へ出力する。さらに、直交リソース割り当て制御部２２０は、報知チャネル／個別制御チャネル復調・復号部２１８から取得した符号情報中のリソース番号（後述）をサブキャリアマッピング部２３０へ出力する。【００２９】
カザック符号生成部２２２は、直交リソース割り当て制御部２２０からカザック系列番号を入力すると、この番号に従ってカザック符号を生成し、生成したカザック符号を巡回シフト部２２４へと出力する。【００３０】
巡回シフト部２２４は、直交リソース割当て制御部２２０から入力された巡回シフト番号に基づいて、カザック符号生成部２２２から入力されたカザック符号の各シンボル（１２個のシンボルまたは因子）を巡回式にシフトすることにより、他のカザック符号を生成する。ここで、一つのカザック符号とこれを巡回式にシフトして得た他のカザック符号とは互いに直交している。カザック符号についての詳細は、例えば、D.C.Chu, "Polyphase  codes  with  good  periodic  correlation  properties", IEEE  Trans. Inform. Theory, vol. IT-18, pp. 531-532, July  1972；3GPP,  R1-050822,  Texas  Instruments, "On  allocation  of  uplink  sub-channels  in  EUTRA  SC-FDMA"に記載されている。巡回シフト部２２４は、巡回式シフトにより得た他のカザック符号をブロック拡散部２２６へと出力する。【００３１】
なお、巡回シフト部２２４は、取得した巡回シフト番号（たとえば、ゼロ）によっては、巡回式シフトを行わない場合もある。この場合には、カザック符号生成部２２２から入力されたカザック符号と同一のカザック符号がブロック拡散部２２６へと出力される。【００３２】
ブロック拡散部２２６は、巡回シフト部２２４から入力したカザック符号に対し、直交リソース割り当て制御部２２０から入力したブロック拡散番号に従って、ブロック拡散処理を行う。ここで、ブロック拡散番号は、典型的には、たとえば、＋１と−１とでよく、＋１の場合の拡散処理はカザック符号（の各シンボル）に＋１を乗算し、−１の場合の拡散処理はカザック符号に−１を乗算するものであって良い。ブロック拡散処理により得られた信号は、ブロック拡散部２２６からＤＦＴ部２２８へ出力される。【００３３】
なお、上述した巡回シフト部２２４が巡回シフト番号によっては巡回シフトを行わない場合があったように、ブロック拡散部２２６もまた、取得したブロック拡散番号によっては、ブロック拡散処理を行わずに、入力されたカザック符号をそのままＤＦＴ部２２８へ出力する場合もある。すなわち、基地局が巡回シフト番号およびブロック拡散番号を適宜選択して移動局へ送信することにより、移動局は、カザック符号に対して、巡回式シフトおよびブロック拡散のいずれか（又は双方）を行うこととなる。【００３４】
ＤＦＴ部２２８は、ブロック拡散部２２６から入力した信号に対して離散フーリエ変換を行い、時間領域の信号を周波数領域の信号に変換し、変換により得た信号をサブキャリアマッピング部２３０へ出力する。【００３５】
サブキャリアマッピング部２３０は、直交ソース割り当て制御部２２０から入力したリソース番号に基づいて、ＤＦＴ部２２８から入力した信号を時間領域においてマッピングする。リソース番号は、後述するように、送信に使用する周波数および時間を特定する情報であり、これにより、どの周波数・時間においてＣＱＩのみが送信され、どの周波数およびどの時間においてＣＱＩとＡＣＫ／ＮＡＣＫ情報と（すなわち、ＣＱＩとＡＣＫの組み合わせ、又はＣＱＩとＮＡＣＫの組み合わせ）が送信されるかが、決定される。サブキャリアマッピング部２３０は、マッピングの結果をＩＦＦＴ部２３２へ出力する。【００３６】
ＩＦＦＴ部２３２は、サブキャリアマッピング部２３０から得たマッピングの結果に対して逆フーリエ変換を行なって、周波数領域の信号を時間領域の信号へと再変換する。ＩＦＦＴ部２１４は、再変換により得た時間領域の信号をＣＰ付加部２３２へ出力する。【００３７】
ＣＰ付与部２３４は、ＩＦＦＴ部２３２より入力した信号にＣＰを付加し、ＣＰが付加された信号を多重部２３６へ出力する。 
多重部２３６は、ＣＰ付与部２１６，２３４から対応する信号を入力し、入力された信号を多重化することにより、送信すべき信号を生成する。この信号は、ＲＦ送信回路（図示せず）へ出力され、電力増幅器、デュプレクサ（いずれも図示せず）を経て、基地局へ送信される。【００３８】
<基地局>
図３は、本発明の一の実施形態による基地局のブロック図である。図示のとおり、基地局３０は、送信部と受信部とを有する。送信部は、スケジューラ３０２、下りリンクチャネル生成部３０４、報知チャネル／個別制御チャネル生成部３０６、ＯＦＤＭ信号生成部３０８を備え、受信部は、ＡＣＫ／ＮＡＣＫ情報のＤＴＸ判定部３１０、同期検出・チャネル推定部３１２、ＳＣ−ＦＤＭＡ信号復調部３１４、およびチャネル復号部３１６を備える。【００３９】
スケジューラ３０２は、各移動局のサービス品質（ＱｏＳ： Quality of Service）、すなわち、要求データレート、バッファ状態、所要誤り率、遅延等に基づいて、下りリンクのリソース割り当て内容を決定する。また、スケジューラ３０２は、決定した内容をスケジューリング情報として下りチャネル生成部３０４へ出力する。スケジューリング情報には、信号の伝送に使用される周波数および時間と、伝送フォーマットとが含まれる。【００４０】
下りリンクチャネル生成部３０４は、スケジューラ３０２から入力したスケジューリング情報に基づいて、下りリンクチャネルを生成し、生成された下りリンクチャネルをＯＦＤＭ信号生成部３０８へ出力する。【００４１】
報知チャネル／個別制御チャネル生成部３０６は、移動局に使用させるカザック系列番号、巡回シフト番号、ブロック拡散符号、リソース番号を決定し、これらの情報をＯＦＤＭ信号生成部３０８へ出力する。【００４２】
ＯＦＤＭ信号生成部３０８は、下りリンクチャネル生成部３０４から入力した下りリンクチャネルと、報知チャネル／個別制御チャネル生成部３０６から入力した情報とを多重して送信すべき信号を生成し、この信号を移動局へ送信する。【００４３】
この信号を受信した移動局がフィードバックすべき情報を送信した後、基地局３０のＡＣＫ／ＮＡＣＫ情報のＤＴＸ判定部３１０は、移動局から送信された情報（受信信号）を入力し、この情報に対して２回の相関検出を行う。どのような相関検出を行うかは、移動局へ通知したカザック系列番号、巡回シフト番号、ブロック拡散符号、リソース番号に依存する（相関検出の詳細は後述する）。また、ＤＴＸ判定部３１０は、２回の相関検出により得られた２つの相関値を比較し、その結果から、移動局がＣＱＩのみを送信したか、ＣＱＩとＡＣＫ／ＮＡＣＫ情報とを送信したか、を判定する。【００４４】
ＤＴＸ判定部３１０は、ＡＣＫ／ＮＡＣＫ情報が送信されていると判定した場合は、同期検出・チャネル推定部３１２、ＳＣ−ＦＤＭＡ信号復調部３１４、およびチャネル復号部３１８に対し、ＡＣＫ／ＮＡＣＫ情報が送信されていることを示す情報を送信する。【００４５】
同期検出・チャネル推定部３１２は、移動局から受信した受信信号中の上りパイロットチャネル（または同期チャネル）に基づいて受信タイミングを特定し、上りパイロットチャネルの受信状態に基づいて上りリンクのチャネル状態を推定し、チャネル補償のための情報を生成する。同期検出・チャネル推定部３１２は、これらの情報をＳＣ−ＦＤＭＡ信号復調部３１４へ出力する。【００４６】
ＳＣ−ＦＤＭＡ信号復調部３１４は、同期検出・チャネル推定部３１２およびＤＴＸ判定部３１０から入力した情報に基づいて、受信したＳＣ−ＦＤＭＡ信号を復調し、復調した信号をチャネル復号部３１６へ出力する。【００４７】
チャネル復号部３１６は、ＤＴＸ判定部３１０から入力した情報に基づいて、復調された信号を適切にチャネル復号処理する。これにより、チャネル復号部３１６は、再生された制御情報、すなわち、移動局からＣＱＩのみが送信された場合にはＣＱＩを、移動局からＣＱＩとＡＣＫ／ＮＡＣＫ情報とが送信された場合にはこれらの両方を取得し、出力する。【００４８】
<ＤＴＸ判定方法>
続いて、本発明の他の実施形態にかかる通信制御方法について、以下の例を参照しながら、説明する。【００４９】
<例１>
図４は、一のユーザ（移動局）に対して割り当てられたスロットを示す。図示のとおり、スロットは７つのブロックを有し、このうち２つのブロックが参照信号に関連付けられている。以下、この２つの参照信号（ＲＳ）ブロックをＲＳ＃１およびＲＳ＃２と記す。ここで、ＲＳ＃１およびＲＳ＃２には同一系列のシンボルが含まれる。実施例１では、いわゆる直交カバリング（orthogonal covering）が利用される。【００５０】
なお、１スロットは０．５ｍｓｅｃに相当し、２つのスロットで一つのサブフレーム（１ｍｓｅｃ）が構成される（図１参照）。【００５１】
実施例１においては、基地局が、参照信号のほか、カザック系列番号とブロック拡散番号とを含む情報を移動局に対して送信する。【００５２】
基地局から参照信号等を受信した移動局は、伝搬路の受信状態を測定し、この測定結果に対応するＣＱＩを生成する。ＣＱＩのみを基地局に対してフィードバックする場合、移動局は、ＣＱＩをブロックＢ１〜Ｂ５に格納するとともに、基地局から通知されたカザック系列番号により指定されるシンボルを生成し、これに＋１を乗算して得たシンボルをＲＳ＃１とＲＳ＃２に格納し、上り制御チャネルとして、送信すべきスロットを生成する。このようなＲＳブロックを、便宜上、（＋，＋）と表す。その後、移動局は、このスロットに対応した信号を基地局に対して送信する。【００５３】
移動局からの信号を受信した基地局は、ＲＳ＃１とＲＳ＃２に対して相関検出を行う。具体的には、基地局は、ＤＴＸ判定部３１０において、カザック系列番号で決まるシンボルに＋１を乗算することにより得た２つのＲＳブロック（＋，＋）を用意し、これらと受信したＲＳ＃１およびＲＳ＃２との間で、第１回目の相関検出を行う。次いで、基地局は、カザック系列番号で決まるシンボルに＋１を乗算することにより得た一のシンボルを含むＲＳブロックと、同じシンボルに−１を乗算することにより得た他のシンボルを含むＲＳブロック（これを（＋，−）と表す）を用意し、これらと受信したＲＳ＃１およびＲＳ＃２との間で、第２回目の相関検出を行う。【００５４】
上述のとおり、移動局からのスロットは（＋，＋）であり、第１回目の相関検出においては、（＋，＋）どうしの相関検出であるから、大きな相関値が得られる。第２回目の相関検出においては、（＋，＋）と（＋，−）との間の相関検出であるから、小さな相関値が得られる。これらの相関値の比較の結果から、基地局は、移動局がＣＱＩのみを送信したと判定することができる。以降、基地局は、この判定に基づいて受信信号の処理を遅滞なく行うことができる。具体的には、基地局は、ＣＱＩに対して分離、復調・復号などの処理を行う。【００５５】
一方、基地局は、移動局に対してＣＱＩとＡＣＫ／ＮＡＣＫ情報とをフィードバックする場合は、ＣＱＩとＡＣＫ／ＮＡＣＫ情報とを多重してＢ１〜Ｂ５に格納するとともに、基地局から通知されたカザック系列番号により指定されるシンボルを生成し、これに＋１を乗算して得たシンボルをＲＳ＃１に格納し、−１を乗算して得たシンボルをＲＳ＃２に格納し、上り制御チャネルとして、送信すべきスロット（＋，−）を生成する。そして、移動局は、このスロットに対応した信号を基地局に対して送信する。【００５６】
基地局は、移動局からこの信号を受信すると、ＲＳ＃１とＲＳ＃２に対して相関検出を行う。具体的には、基地局は、各シンボルに＋１が乗算された２つのＲＳブロック（＋，＋）と、受信したＲＳ＃１およびＲＳ＃２との間で、第１回目の相関検出を行う。次いで、基地局は、＋１が乗算された一のＲＳブロックおよび−１が乗算された他のＲＳブロック（＋，−）と、受信したＲＳ＃１およびＲＳ＃２との間で、第２回目の相関検出を行う。【００５７】
上述のとおり、移動局からのスロットは（＋，−）であるから、第１回目の相関検出（（＋，−）と（＋，＋）との間の相関検出）においては小さな相関値が得られ、第２回目の相関検出（（＋，−）と（＋，−）との間の相関検出）においては、大きな相関値が得られる。この結果から、基地局は、移動局がＣＱＩとＡＣＫ／ＮＡＣＫ情報とを送信したと判定することができる。以降、基地局は、この判定に基づいて受信信号の処理を遅滞なく行うことができる。具体的には、基地局は、ＣＱＩとＡＣＫ／ＮＡＣＫ情報とのそれぞれに対して分離、復調・復号などの処理を行う。【００５８】
また、基地局がＣＱＩとＡＣＫ／ＮＡＣＫ情報とが移動局から送信されてくると期待している場合であっても、基地局における第１回目の相関検出において大きい相関値が得られ、第２回目の相関検出において小さい相関値が得られることがある。この場合、基地局は、移動局からＣＱＩとＡＣＫ／ＮＡＣＫ情報とがフィードバックされるべきであるにも拘わらず、何らかの理由により移動局がＣＱＩのみを送信したことを認識する。換言すると、基地局は、基地局と移動局との間の情報のやり取りに何らかの誤りが発生したことを認識する。この認識に基づき、基地局は移動局に対してＡＣＫ又はＮＡＣＫの再送を要求することができる。このため、移動局からＡＣＫ又はＮＡＣＫが返信されていないにも拘わらず、ＣＱＩとＡＣＫ／ＮＡＣＫ情報とが返信されていたとして、応答信号の処理を開始するといった事態を回避することができる。また、基地局は、再送を要求する際に、高い送信電力で制御チャネルを送信することが可能である。この結果、再送においてＣＱＩとＡＣＫ／ＮＡＣＫ情報とを取得する確率を向上することが可能となる。【００５９】
<例２>
実施例１では参照信号の直交カバリングを利用したが、実施例２においては、参照信号の巡回式シフト（Cyclic Shift）を利用して、ＣＱＩのみの送信か、ＣＱＩとＡＣＫ／ＮＡＣＫ情報との送信かが判定される。【００６０】
実施例２においては、基地局が、参照信号のほか、カザック系列番号と巡回シフト番号とを含む情報を移動局に対して送信する。【００６１】
移動局が基地局に対してＣＱＩのみをフィードバックする場合、たとえば、ＲＳ＃１とＲＳ＃２において、同一の巡回式シフトが行われる。このとき、両方の巡回シフト番号は、同一であり、ここでは、Shift#1とする。すなわち、移動局は、カザック系列番号で指定されたシンボルを生成し、このシンボルに対してShift#1で表される巡回式シフトを行って得たシンボルをＲＳ＃１およびＲＳ＃２に格納する。このようなＲＳブロックを便宜上（Shift#1，Shift#1）と表す。このようにして生成したスロットに対応する信号が移動局から基地局に対して送信される。【００６２】
移動局からの信号を受信した基地局は、ＲＳ＃１とＲＳ＃２に対して相関検出を行う。具体的には、基地局は、カザック系列番号で指定されたシンボルを生成し、このシンボルに対してShift#1で表わされる巡回シフトを行うことにより生成されたシンボルを格納した２つのＲＳブロック（Shift#1，Shift#1）と、移動局から受信したＲＳ＃１およびＲＳ＃２との間で、第１回目の相関検出を行う。次いで、基地局は、カザック系列番号で指定されたシンボルに対して、Shift#1と異なるShift#2で表わされる巡回式シフトを行うことにより生成されたシンボルを格納した２つのＲＳブロック（Shift#2，Shift#2）と、受信したＲＳ＃１およびＲＳ＃２との間で、第２回目の相関検出を行う。【００６３】
上述のとおり、移動局からのスロットは（Shift#1，Shift#1）であり、第１回目の相関検出においては、（Shift#2，Shift#2）どうしの相関検出であるから、大きな相関値が得られる。これに対して、第２回目の相関検出においては、（Shift#1，Shift#1）と（Shift#2，Shift#2）との間での相関検出であるから、カザック符号の巡回式シフトに由来する直交性により、小さな相関値が得られる。この結果から、基地局は、移動局が（Shift#1，Shift#1）のスロットを送信したこと、すなわち、ＣＱＩのみを送信したことを判定することができる。以降、基地局は、この判定に基づいて受信処理を行う。【００６４】
一方、移動局が、基地局に対してＣＱＩとＡＣＫ／ＮＡＣＫ情報とをフィードバックする場合、移動局は、（Shift#2，Shift#2）のスロットを生成し、このスロットに対応した信号を移動局へ送信する。【００６５】
基地局は、移動局からこの信号を受信すると、上記と同様に、第１回目の相関検出として、（Shift#1，Shift#1）と、受信したスロットとの間で相関検出を行う。続けて、基地局は、第２回目の相関検出として、（Shift#2，Shift#2）と、受信したスロットとの間で相関検出を行う。【００６６】
移動局からのスロットは（Shift#2，Shift#2）であり、第１回目の相関検出は（Shift#1，Shift#1）と（Shift#2，Shift#2）との間の相関検出であるから、小さな相関値が得られる。第２回目の相関検出は、（Shift#1，Shift#1）どうしの相関検出であるから、大きな相関値が得られる。この結果から、基地局は、移動局がＣＱＩとＡＣＫ／ＮＡＣＫ情報とを送信したことを判定することができる。以降、基地局は、この判定に基づいて遅滞なく受信処理を行うことができる。【００６７】
実施例２においても、基地局がＣＱＩとＡＣＫ／ＮＡＣＫ情報とが移動局から送信されると期待している場合であっても、第１回目の相関検出においては大きい相関値が得られ、第２回目の相関検出においては、小さい相関値が得られることがあるが、上述と同様に、移動局が誤ってＣＱＩのみを送信したことを認識することができる。この認識に基づき、基地局は移動局に対して再送を要求することができるし、この際、高い送信電力で制御チャネルを送信することができる。【００６８】
実施例１および２のＤＴＸ判定方法は、互いに直交性を有するシンボルを利用して２回の相関検査を行なうため、結果として得られる２つの相関値の差が大きくなるという利点を有している。このため、受信電力の大きさと所定のしきい値との比較により、移動局がＣＱＩのみを送信したのか、ＣＱＩとＡＣＫ／ＮＡＣＫ情報との両方を送信したのか、を判定する場合に比べ、判定の精度が向上する。【００６９】
<例３>
実施例３においては、スロット中の参照信号ブロックでなく、スロット全体、より詳しくは、無線リソースブロックの相違が利用される。【００７０】
図６は、実施例３の方法で、移動局がＣＱＩのみを送信する場合と、ＣＱＩとＡＣＫ／ＮＡＣＫ情報とを送信する場合のリソースの割り当てを示す図である。図示のとおり、移動局がＣＱＩのみを送信する場合は、基地局から通知されるリソース番号に従って、たとえば、スロット１Ａ，１Ｂを使用し、スロット２Ａ，２Ｂは使用しない。なお、スロット１Ａ，１Ｂ（２Ａ，２Ｂ）で一つのサブフレーム（トランスミッション・タイム・インターバル（ＴＴＩ））を構成している。【００７１】
このようなスロットに対応した信号が移動局から送信された場合、この信号を受信した基地局は、第１回目の相関検出として、スロット１Ａ，１Ｂを利用した相関検出を行ない、第２回目の相関検出としてスロット２Ａ，２Ｂを利用した相関検出を行う。【００７２】
移動局がスロット１Ａ，１Ｂを使用してＣＱＩを送信しているため、基地局における第１回目の相関検出の結果、大きい相関値が得られる。一方、移動局はスロット２Ａ，２Ｂを使用していないため、これらのスロットには何ら情報なく、よって、第２回目の相関検出の結果、小さい相関値が得られる。したがって、両相関値の比較により、基地局は、移動局がＣＱＩのみを送信したことを判定し、この判定に基づいて、以降の受信処理を遅滞なく行うことができる。【００７３】
これに対し、移動局がＣＱＩとＡＣＫ／ＮＡＣＫ情報とを送信する場合は、ＣＱＩのみを送信する場合とは対照的に、スロット１Ａ，１Ｂを使用せず、スロット２Ａ，２Ｂを使用する。【００７４】
このようなスロットに対応した信号が移動局から送信された場合、この信号を受信した基地局は、上述と同様、第１回目の相関検出として、スロット１Ａ，１Ｂを利用した相関検出を行ない、第２回目の相関検出としてスロット２Ａ，２Ｂを利用した相関検出を行う。【００７５】
この場合、第１回目の相関検出により小さい相関値が得られ、第２回目の相関検出により大きい相関値が得られる。したがって、両相関値の比較により、基地局は、移動局がＣＱＩとＡＣＫ／ＮＡＣＫ情報とを送信したことを判定し、この判定に基づいて、以降の受信処理を遅滞なく行うことができる。【００７６】
また、実施例３においても、基地局がＣＱＩとＡＣＫ／ＮＡＣＫ情報とが移動局から送信されてくると期待している場合（すなわち、スロット２Ａ，２Ａによる相関値が大きくなると期待している場合）に、相関値の比較の結果、スロット１Ａ，１Ｂによる相関値が大きくなったときは、基地局は、何らかの誤りが発生したことを認識することができる。【００７７】
実施例３においても、基地局は、２回の相関検出により得られた相関値を比較することにより、移動局がＣＱＩのみを送信したか、ＣＱＩとＡＣＫ／ＮＡＣＫ情報とを送信したかを判定するため、受信電力の大きさと所定のしきい値との比較により、移動局がＣＱＩのみを送信したのか、ＣＱＩとＡＣＫ／ＮＡＣＫ情報とを送信したのか、を判定する場合に比べ、判定の精度が向上する。【００７８】
以上、いくつかの実施形態と実施例とを参照しながら、本発明にかかる通信制御方法、移動局、および基地局を説明したが、本発明は上記の説明のものに限定されることなく、種々の変更・変形が可能である。【００７９】
たとえば、実施例１においては、ＣＱＩのみを送信する場合にスロット（＋，−）を生成し、ＣＱＩとＡＣＫ／ＮＡＣＫ情報とを送信する場合にスロット（＋，−）を生成することとしたが、この逆であっても良い。また、カザック符号の直交性が喪失されない限りにおいて、乗算する数値は任意に決定して良い。【００８０】
また、実施例２においては、巡回式にシフトする量（回数）は、適宜決定して良いことは明らかである。さらに、実施例１および２において、カザック符号を用いたが、これに限られず、他のシンボルを使用しても２回の相関検出により得られる相関値の比較により、判定を行うことは可能である。【００８１】
本国際出願は２００７年８月１４日に出願された日本国特許出願２００７−２１１６００号に基づく優先権を主張するものであり、その全内容をここに援用する。
【図１】
2009022710.tif 000003
【図２】
2009022710.tif 000004
【図３】
2009022710.tif 000005
【図４】
2009022710.tif 000006
【図５】
2009022710.tif 000007
【図６】
2009022710.tif 000008
【国際調査報告】
2009022710.tif 000009
2009022710.tif 000010
2009022710.tif 000011
2009022710.tif 000012